(57)【要約】【課題】シャワー部から洗面部へ湯水が流れ難く、且つ排水口を少なくすることができるシャワールームユニットの床構造を提供する。【解決手段】床パン１は互いに隣接するシャワーエリア１１と衛生エリア１２とから成り、シャワーエリア１１は排水口１５を備え、衛生エリア１２はシャワーエリア１１より上方に位置し、衛生エリア１２のシャワーエリア１１側の端部から垂下部１４が垂下され、垂下部１４の下端はシャワーエリア１１と接続され、シャワーエリア１１は排水口１５に向かって下方に傾斜し、衛生エリア１２はシャワーエリア１１側の反対側の端部近傍からシャワーエリア１１側の端部へ下方に傾斜している。【選択図】図１
2013221263.tif 000002
【特許請求の範囲】
【請求項１】
床パンは互いに隣接するシャワーエリアと衛生エリアとから成り、前記シャワーエリアは排水口を備え、前記衛生エリアは前記シャワーエリアより上方に位置し、前記衛生エリアの前記シャワーエリア側の端部から垂下部が垂下され、前記垂下部の下端は前記シャワーエリアと接続され、前記シャワーエリアは前記排水口に向かって下方に傾斜し、前記衛生エリアは前記シャワーエリア側の反対側の端部近傍から前記シャワーエリア側の端部へ下方に傾斜していることを特徴とするシャワールームユニットの床構造。
【発明の詳細な説明】
【技術分野】
【０００１】
本発明は、シャワールームユニットの床構造に関するものである。
【背景技術】
【０００２】
従来から、シャワーユニットのシャワー部と洗面部とを仕切る堰を設け、シャワー部と洗面部の夫々に排水口を設けて排水をする構造が知られている（例えば特許文献１参照）。
【先行技術文献】
【特許文献】
【０００３】
【特許文献１】特開昭６１−５１２８号公報
【発明の概要】
【発明が解決しようとする課題】
【０００４】
ところで、特許文献１に記載された従来のシャワーユニットの床パン構造は、断面Ｕ字形のコーミング材（堰部）を用いてシャワー部と洗面部とを仕切っている。また、シャワー部と洗面部の床パンは夫々スカッパ（排水口）に向けて傾斜し、排水を行い易い構造となっている。
【０００５】
しかしながら、コーミング材を用いてシャワー部と洗面部とを仕切るため、排水口が２個以上必要となり、そのために、配管が複雑になり施工に時間が掛かるという問題があった。
【０００６】
本発明は上記従来の問題点に鑑みて発明したものであって、その目的とするところは、シャワー部から洗面部へ湯水が流れ難く、且つ排水口を少なくすることができるシャワーユニットの床構造を提供することを課題とするものである。
【課題を解決するための手段】
【０００７】
上記課題を解決するために、本発明は、以下のような構成とする。
【０００８】
本発明のシャワールームユニットの床構造は、床パンは互いに隣接するシャワーエリアと衛生エリアとから成り、前記シャワーエリアは排水口を備え、前記衛生エリアは前記シャワーエリアより上方に位置し、前記衛生エリアの前記シャワーエリア側の端部から垂下部が垂下され、前記垂下部の下端は前記シャワーエリアと接続され、前記シャワーエリアは前記排水口に向かって下方に傾斜し、前記衛生エリアは前記シャワーエリア側の反対側の端部近傍から前記シャワーエリア側の端部へ下方に傾斜していることを特徴とする。
【発明の効果】
【０００９】
本発明のシャワーユニットの床構造は、シャワーエリアから衛生エリアへ湯水が流れ難く、且つ排水口を少なくすることができる。
【図面の簡単な説明】
【００１０】
【図１】本実施形態の床パンの斜視図である。
【図２】本実施形態のシャワールームユニットの正面図である。
【図３】本実施形態のシャワールームユニットの平面図である。
【発明を実施するための形態】
【００１１】
以下、本発明を添付図面に示す実施形態に基いて説明する。
【００１２】
本実施形態のシャワールームユニットの床構造は、図１に示すような床パン１を備えている。床パン１は、隣接するシャワーエリア１１と衛生エリア１２から形成されている。また床パン１は起立片１３に囲まれている。
【００１３】
衛生エリア１２はシャワーエリア１１より上方に位置している。そして、衛生エリア１２のシャワーエリア１１側の端部から垂下部１４が垂下され、シャワーエリア１１の衛生エリア１２側の端部と接続している。本実施形態において床パン１は、シャワーエリア１１と衛生エリア１２と垂下部１４とで一体に形成されている。また本実施形態において、床パン１は、ＦＲＰ（Ｆｉｂｅｒ  Ｒｅｉｎｆｏｒｃｅｄ  Ｐｌａｓｔｉｃｓ）等の樹脂で成形されているが、これに限定されない。
【００１４】
シャワーエリア１１の上方の空間をシャワースペース２、衛生エリア１２の上方の空間を衛生スペース３とする。
【００１５】
図１に示すように、衛生エリア１２は、平面視略矩形状をしているが、これに限定されない。また衛生エリア１２は、衛生エリア１２のシャワーエリア１１側とは反対側の端部近傍からシャワーエリア１１に向って下方に、傾斜している。この傾斜の角度は、使用者が立つことに困難でなく且つ湯水が下方へと流れ易い角度（例えば５度）とする。傾斜を設けることにより、後述するシャワーエリア１１に設けられる排水口１５に、湯水を流れ易くしている。
【００１６】
また、図示していないが、衛生エリア１２に滑り止めを設けてもよい。滑り止めは、例えば傾斜とは垂直な方向に凸条を設けることにより成る。凸条の高さは、使用者が凸条を踏んだ際、不快感を感じない程度とする。凸条を設けることにより、傾斜で足を滑らせ難くなる。
【００１７】
衛生スペース３には、トイレや洗面台３１が設けられてもよい。
【００１８】
図１に示すように、シャワーエリア１１は平面視略矩形状をしているが、これに限定されない。またシャワーエリア１１には排水口１５が設けられている。排水口１５はヘアキャッチャー（図示せず）や排水管１６を備えたもので、本実施形態では、排水口１５はシャワーエリア１１の衛生エリア１２側辺の中心からシャワーエリア１１に向って半円状に突出している。なお、排水口１５の形態やその位置はこれに限定されない。
【００１９】
シャワーエリア１１は排水口１５に向って、下方に傾斜している。この傾斜は、本実施形態ではすり鉢状となっているが、特に限定されない。傾斜の角度は、使用者が立つことに困難でない角度とし且つ湯水が下方へと流れ易いものとする。排水口１５に向けて傾斜を設けることにより、湯水が排水口１５に集まり易くなる。
【００２０】
また、図示していないが、シャワーエリア１１に滑り止めを設けてもよい。滑り止めは、衛生エリア１２の傾斜と垂直な方向に凸条を設けることにより成る。凸条の高さは、使用者が凸条を踏んだ際、不快感を感じない程度とする。凸条を設けることにより、傾斜で足を滑らせ難くなる。
【００２１】
シャワースペース２には、シャワー２１が設けられており、またカラン２２が設けられていてもよい。
【００２２】
図１に示すように、垂下部１４はシャワーエリア１１と衛生エリア１２との境界に設けられている。垂下部１４は本実施形態では、略垂直に設けられているが、これに限定されない。
【００２３】
垂下部１４を設けることにより、シャワーエリア１１に流れ落ちた湯水が、衛生エリア１２へ流れ込み難くしている。
【００２４】
また、シャワースペース２と衛生スペース３との境界にバスカーテン４を設け、シャワー２１から出た湯水が、衛生スペース３に飛散し難くした方がよい。バスカーテン４を設けることにより、より衛生エリア１２が湯水で濡れ難くなる。
【００２５】
以上のような構成にすることにより、従来のものより排水口１５の数が少なくなると共に、配管の数が少なくなるため、施工が簡単になり、また、使用する排水トラップの数も少なくなるため、コストが軽減される。
【符号の説明】
【００２６】
１    床パン
１１  シャワーエリア
１２  衛生エリア
１３  起立片
１４  垂下部
１５  排水口
１６  排水管
２    シャワースペース
２１  シャワー
２２  カラン
３    衛生スペース
３１  洗面台
４    バスカーテン
【図１】
2013221263.tif 000003
【図２】
2013221263.tif 000004
【図３】
2013221263.tif 000005